【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
光を発する発光部を備え、カメラに接続可能なアクセサリーであって、
前記カメラからの電力を受け取る電源端子と、
前記電源端子に対応する接地端子と、
前記アクセサリーに関する情報を含むデータ信号の通信を前記カメラとの間で行うデータ信号通信の開始を制御する通信制御信号が前記カメラから入力される通信制御信号入力端子と、
前記発光部の発光状態を制御する発光制御信号が前記カメラから入力される発光制御信号入力端子と、
前記アクセサリーが前記カメラで制御可能な状態であることを前記カメラが検出するための検出レベルを、前記カメラに提供する検出レベル提供端子と、
前記データ信号を前記カメラに対して出力するデータ信号出力端子と、
前記データ信号に同期するクロック信号を前記カメラに出力するクロック信号出力端子と、
前記データ信号と前記発光制御信号と前記検出レベルと前記クロック信号に対する第１の基準電位端子および第２の基準電位端子と、を備え、
前記各端子は、前記電源端子、前記通信制御信号入力端子、前記発光制御信号入力端子、前記検出レベル提供端子、前記データ信号出力端子、前記第１の基準電位端子、前記クロック信号出力端子、前記第２の基準電位端子、前記接地端子の順に並んで配置される
ことを特徴とするアクセサリー。
【請求項２】
光を発する発光部を備え、カメラに接続可能なアクセサリーであって、
前記カメラからの電力を受け取る電源端子である第１の電源端子または第２の電源端子と、
前記電源端子に対応する第１の接地端子または第２の接地端子と、
前記アクセサリーに関する情報を含むデータ信号の通信を前記カメラとの間で行うデータ信号通信の開始を制御する通信制御信号が前記カメラから入力される通信制御信号入力端子と、
前記発光部の発光状態を制御する発光制御信号が前記カメラから入力される発光制御信号入力端子と、
前記アクセサリーが前記カメラで制御可能な状態であることを前記カメラが検出するための検出レベルを、前記カメラに提供する検出レベル提供端子と、
前記データ信号を前記カメラに対して出力するデータ信号出力端子と、
前記データ信号に同期するクロック信号を前記カメラに出力するクロック信号出力端子と、
前記データ信号と前記発光制御信号と前記検出レベルと前記クロック信号に対する第１の基準電位端子および第２の基準電位端子と、を備え、
前記各端子は、前記第１の電源端子または前記第２の電源端子、前記通信制御信号入力端子、前記発光制御信号入力端子、前記検出レベル提供端子、前記データ信号出力端子、前記第１の基準電位端子、前記クロック信号出力端子、前記第２の基準電位端子、前記第１の接地端子または前記第２の接地端子の順に並んで配置される
ことを特徴とするアクセサリー。
【請求項３】
光を発する発光部を備え、カメラに接続可能なアクセサリーであって、
前記カメラからの電力を受け取る電源端子である第１の電源端子および第２の電源端子と、
前記電源端子に対応する第１の接地端子および第２の接地端子と、
前記アクセサリーに関する情報を含むデータ信号の通信を前記カメラとの間で行うデータ信号通信の開始を制御する通信制御信号が前記カメラから入力される通信制御信号入力端子と、
前記発光部の発光状態を制御する発光制御信号が前記カメラから入力される発光制御信号入力端子と、
前記アクセサリーが前記カメラで制御可能な状態であることを前記カメラが検出するための検出レベルを、前記カメラに提供する検出レベル提供端子と、
前記データ信号を前記カメラに対して出力するデータ信号出力端子と、
前記データ信号に同期するクロック信号を前記カメラに出力するクロック信号出力端子と、
前記データ信号と前記発光制御信号と前記検出レベルと前記クロック信号に対する第１の基準電位端子および第２の基準電位端子と、を備え、
前記各端子は、前記第１の電源端子、前記第２の電源端子、前記通信制御信号入力端子、前記発光制御信号入力端子、前記検出レベル提供端子、前記データ信号出力端子、前記第１の基準電位端子、前記クロック信号出力端子、前記第２の基準電位端子、前記第１の接地端子、前記第２の接地端子の順に並んで配置される
ことを特徴とするアクセサリー。
【請求項４】
カメラに接続可能なアクセサリーであって、
前記カメラからの電力を受け取る電源端子と、
前記電源端子に対応する接地端子と、
前記アクセサリーに関する情報を含むデータ信号の通信を前記カメラとの間で行うデータ信号通信の開始を制御する通信制御信号が前記カメラから入力される通信制御信号入力端子と、
前記アクセサリーが前記カメラで制御可能な状態であることを前記カメラが検出するための検出レベルを、前記カメラに提供する検出レベル提供端子と、
前記データ信号を前記カメラに対して出力するデータ信号出力端子と、
前記データ信号に同期するクロック信号を前記カメラに出力するクロック信号出力端子と、
前記データ信号と前記検出レベルと前記クロック信号に対する第１の基準電位端子および第２の基準電位端子と、を備え、
前記各端子は、前記電源端子、前記通信制御信号入力端子、前記検出レベル提供端子、前記データ信号出力端子、前記第１の基準電位端子、前記クロック信号出力端子、前記第２の基準電位端子、前記接地端子の順に並んで配置される
ことを特徴とするアクセサリー。
【請求項５】
光を発する発光部を備え、カメラに接続可能なアクセサリーであって、
前記カメラからの電力を受け取る電源端子である第１の電源端子または第２の電源端子と、
前記電源端子に対応する第１の接地端子または第２の接地端子と、
前記アクセサリーに関する情報を含むデータ信号の通信を前記カメラとの間で行うデータ信号通信の開始を制御する通信制御信号が前記カメラから入力される通信制御信号入力端子と、
前記アクセサリーが前記カメラで制御可能な状態であることを前記カメラが検出するための検出レベルを、前記カメラに提供する検出レベル提供端子と、
前記データ信号を前記カメラに対して出力するデータ信号出力端子と、
前記データ信号に同期するクロック信号を前記カメラに出力するクロック信号出力端子と、
前記データ信号と前記検出レベルと前記クロック信号に対する第１の基準電位端子および第２の基準電位端子と、を備え、
前記各端子は、前記第１の電源端子または前記第２の電源端子、前記通信制御信号入力端子、前記検出レベル提供端子、前記データ信号出力端子、前記第１の基準電位端子、前記クロック信号出力端子、前記第２の基準電位端子、前記第１の接地端子または前記第２の接地端子の順に並んで配置される
ことを特徴とするアクセサリー。
【請求項６】
光を発する発光部を備え、カメラに接続可能なアクセサリーであって、
前記カメラからの電力を受け取る電源端子である第１の電源端子および第２の電源端子と、
前記電源端子に対応する第１の接地端子および第２の接地端子と、
前記アクセサリーに関する情報を含むデータ信号の通信を前記カメラとの間で行うデータ信号通信の開始を制御する通信制御信号が前記カメラから入力される通信制御信号入力端子と、
前記アクセサリーが前記カメラで制御可能な状態であることを前記カメラが検出するための検出レベルを、前記カメラに提供する検出レベル提供端子と、
前記データ信号を前記カメラに対して出力するデータ信号出力端子と、
前記データ信号に同期するクロック信号を前記カメラに出力するクロック信号出力端子と、
前記データ信号と前記検出レベルと前記クロック信号に対する第１の基準電位端子および第２の基準電位端子と、を備え、
前記各端子は、前記第１の電源端子、前記第２の電源端子、前記通信制御信号入力端子、前記検出レベル提供端子、前記データ信号出力端子、前記第１の基準電位端子、前記クロック信号出力端子、前記第２の基準電位端子、前記第１の接地端子、前記第２の接地端子の順に並んで配置される
ことを特徴とするアクセサリー。
【請求項７】
前記電源端子は、第１の電源端子と第２の電源端子とを含む
ことを特徴とする請求項１または請求項３に記載のアクセサリー。
【請求項８】
前記接地端子は、第１の接地端子と第２の接地端子とを含む
ことを特徴とする請求項１または請求項３に記載のアクセサリー。
【請求項９】
前記アクセサリーは、位置情報を計測するＧＰＳ機能を備えることを特徴とする請求項１から請求項８のいずれか一項に記載のアクセサリー。
【請求項１０】
前記各端子と電気的に接続された電気回路を備え、
前記各端子の並びにおいて前記電源端子と前記通信制御信号入力端子との間に配置され、前記電気回路と電気的に接続されていないオープン端子を更に備える
ことを特徴とする請求項１から９の何れか一項に記載のアクセサリー。
【請求項１１】
前記各端子は、前記カメラに対して所定方向にスライド移動されて前記カメラに装着され、
前記各端子は、前記カメラ側に設けられている対応する端子にそれぞれ接触する接触部を備え、
複数の前記端子のうちの少なくとも１つの端子の前記接触部は、他の端子の前記接触部に対して、前記所定方向において異なる位置に設けられている
ことを特徴とする請求項１〜１０の何れか一項に記載のアクセサリー。
【請求項１２】
前記各端子は、前記カメラに対して所定方向にスライド移動されて前記カメラに装着され、
前記各端子は、前記カメラ側に設けられている対応する端子にそれぞれ接触する接触部を備え、
複数の前記端子のうちの少なくとも１つの端子の前記接触部の個数は、他の端子の前記接触部の個数よりも多い
ことを特徴とする請求項１〜１１の何れか一項に記載のアクセサリー。
【請求項１３】
前記少なくとも１つの端子は、前記電源端子と前記接地端子の一方または双方を含む
ことを特徴とする請求項１１又は１２に記載のアクセサリー。
【請求項１４】
前記少なくとも１つの端子は、前記通信制御信号入力端子を含む
ことを特徴とする請求項１１〜１３の何れか一項に記載のアクセサリー。
【請求項１５】
前記少なくとも１つの端子は、前記第１の基準電位端子と前記第２の基準電位端子の一方または双方を含む
ことを特徴とする請求項１１〜１４の何れか一項に記載のアクセサリー。
【請求項１６】
光を発する発光部を備えたアクセサリーを着脱可能なカメラであって、
前記アクセサリーに対して電力を供給する第１の電源端子および第２の電源端子と、
前記各電源端子に対応する第１の接地端子および第２の接地端子と、
前記アクセサリーに関する情報を含むデータ信号の通信を前記アクセサリーとの間で行うデータ信号通信の開始を制御する通信制御信号を前記アクセサリーへ出力する通信制御信号出力端子と、
前記発光部の発光状態を制御する発光制御信号を、前記アクセサリーに出力する発光制御信号出力端子と、
前記アクセサリーが前記カメラで制御可能な状態であることを前記カメラが検出するための検出レベルを、前記アクセサリーから提供される検出レベル端子と、
前記データ信号を前記アクセサリーから入力するデータ信号入力端子と、
前記データ信号に同期するクロック信号を前記アクセサリーから入力するクロック信号入力端子と、
前記データ信号と前記発光制御信号と前記検出レベルと前記クロック信号に対する第１の基準電位端子および第２の基準電位端子と、を備え、
前記１１個の各端子は、前記第１の電源端子、前記第２の電源端子、前記通信制御信号出力端子、前記発光制御信号出力端子、前記検出レベル端子、前記データ信号入力端子、前記第１の基準電位端子、前記クロック信号入力端子、前記第２の基準電位端子、前記第１の接地端子、前記第２の接地端子の順に並んで配置される
ことを特徴とするカメラ。
【請求項１７】
前記アクセサリーは、前記カメラに対して所定方向にスライド移動されて前記カメラに装着され、
前記アクセサリーを装着する際に、前記第１の基準電位端子が前記クロック信号入力端子よりも先に前記アクセサリーの対応する端子と接触するように、前記第１の基準電位端子は、前記クロック信号入力端子よりも前記所定方向の長さが長く形成されている
ことを特徴とする請求項１６に記載のカメラ。
【請求項１８】
前記接地端子の前記所定方向における長さは、前記第１の基準電位端子と同等の長さを有することを特徴とする請求項１７に記載のカメラ。
【請求項１９】
前記第２の基準電位端子の前記所定方向における長さは、前記第クロック信号入力端子と同等の長さを有することを特徴とする請求項１７又は１８に記載のカメラ。
【請求項２０】
光を発する発光部を備えるアクセサリーを着脱可能なカメラに装着可能なコネクターであって、
前記カメラからの電力を受け取る電源端子と、
前記電源端子に対応する接地端子と、
前記アクセサリーに関する情報を含むデータ信号の通信を前記カメラとの間で行うデータ信号通信の開始を制御する通信制御信号が前記カメラから入力される通信制御信号入力端子と、
前記発光部の発光状態を制御する発光制御信号が前記カメラから入力される発光制御信号入力端子と、
前記アクセサリーが前記カメラで制御可能な状態であることを前記カメラが検出するための検出レベルを、前記カメラに提供する検出レベル提供端子と、
前記データ信号を前記カメラに対して出力するデータ信号出力端子と、
前記データ信号に同期するクロック信号を前記カメラに出力するクロック信号出力端子と、
前記データ信号と前記発光制御信号と前記検出レベルと前記クロック信号に対する第１の基準電位端子および第２の基準電位端子と、を備え、
前記各端子は、前記電源端子、前記通信制御信号入力端子、前記発光制御信号入力端子、前記検出レベル提供端子、前記データ信号出力端子、前記第１の基準電位端子、前記クロック信号出力端子、前記第２の基準電位端子、前記接地端子の順に並んで配置される
ことを特徴とするコネクター。
【請求項２１】
アクセサリーを着脱可能なカメラに装着可能なコネクターであって、
前記カメラからの電力を受け取る電源端子と、
前記電源端子に対応する接地端子と、
前記アクセサリーに関する情報を含むデータ信号の通信を前記カメラとの間で行うデータ信号通信の開始を制御する通信制御信号が前記カメラから入力される通信制御信号入力端子と、
前記アクセサリーが前記カメラで制御可能な状態であることを前記カメラが検出するための検出レベルを、前記カメラに提供する検出レベル提供端子と、
前記データ信号を前記カメラに対して出力するデータ信号出力端子と、
前記データ信号に同期するクロック信号を前記カメラに出力するクロック信号出力端子と、
前記データ信号と前記検出レベルと前記クロック信号に対する第１の基準電位端子および第２の基準電位端子と、を備え、
前記各端子は、前記電源端子、前記通信制御信号入力端子、前記検出レベル提供端子、前記データ信号出力端子、前記第１の基準電位端子、前記クロック信号出力端子、前記第２の基準電位端子、前記接地端子の順に並んで配置される
ことを特徴とするコネクター。
【請求項２２】
光を発する発光部を備えたアクセサリーを着脱可能なアクセサリーシューであって、
前記アクセサリーに対して電力を供給する第１の電源端子および第２の電源端子と、
前記各電源端子に対応する第１の接地端子および第２の接地端子と、
前記アクセサリーに関する情報を含むデータ信号の通信を前記アクセサリーとの間で行うデータ信号通信の開始を制御する通信制御信号を前記アクセサリーへ出力する通信制御信号出力端子と、
前記発光部の発光状態を制御する発光制御信号を、前記アクセサリーに出力する発光制御信号出力端子と、
前記アクセサリーが前記カメラで制御可能な状態であることを前記カメラが検出するための検出レベルを、前記アクセサリーから提供される検出レベル端子と、
前記データ信号を前記アクセサリーから入力するデータ信号入力端子と、
前記データ信号に同期するクロック信号を前記アクセサリーから入力するクロック信号入力端子と、
前記データ信号と前記発光制御信号と前記検出レベルと前記クロック信号に対する第１の基準電位端子および第２の基準電位端子と、を備え、
前記１１個の各端子は、前記第１の電源端子、前記第２の電源端子、前記通信制御信号出力端子、前記発光制御信号出力端子、前記検出レベル端子、前記データ信号入力端子、前記第１の基準電位端子、前記クロック信号入力端子、前記第２の基準電位端子、前記第１の接地端子、前記第２の接地端子の順に並んで配置される
ことを特徴とするアクセサリーシュー。
【請求項２３】
前記複数の端子は、線形状を備えており、且つ前記線形状の端部近傍において、前記カメラ側の対応する端子と接続される
ことを特徴とする請求項１〜１５の何れか一項に記載のアクセサリー。
【手続補正２】
【補正対象書類名】明細書
【補正対象項目名】０４３６
【補正方法】変更
【補正の内容】
【０４３６】
なお、端子部４２３の複数の端子は、変形例６のコネクター４２０（図３２参照）、変形例７のコネクター４２０（図３４参照）において、Ｘ軸方向に並ぶ順に接触部の位置が交互に切替わるように千鳥状に配置されているが、このような配置に限定されるものではない。例えば、端子部４２３は、本変形例のように、Ｙ軸方向から見てＸ軸方向に隣り合う複数組の１対の端子のうち、少なくとも１組の一対の端子の一方と他方とでＹ軸方向の位置が異なっており、且つ少なくとも他の１組の一対の端子の一方と他方とでＹ軸方向の位置が揃っていてもよい。Ｙ軸方向の位置が揃っている１対の端子は、例えば、接地端子Ｔｓ１、Ｔｓ２の組、電源端子Ｔｓ１１、１２の組のように、一方の端子と他方の端子とが短絡した場合に自端子の電位が変わらない端子から選択されていてもよい。
【手続補正３】
【補正対象書類名】明細書
【補正対象項目名】０４３７
【補正方法】変更
【補正の内容】
【０４３７】
以上のような本変形例のコネクター４２０は、接地端子Ｔｓ１、Ｔｓ２、電源端子Ｔｓ１１、Ｔｓ１２のそれぞれが複数の接触部でカメラ側端子と接触する。そのため、コネクター４２０は、カメラ１０側の端子とアクセサリー４００側の端子との接続の信頼性が高くなる。結果として、カメラシステム１は、例えばカメラ１０からアクセサリー４００への電力供給を安定的に行うことができる。また、カメラシステム１は、接地端子Ｔｓ１、Ｔｓ２、電源端子Ｔｓ１１、Ｔｓ１２を介した電力供給の経路を低抵抗することができる。これにより、カメラシステム１は、例えばアクセサリー４００への電力供給量を増すこと、電力供給に伴う発熱を抑制すること等ができる。